(57)【要約】      （修正有）【課題】より簡便に不意に結合が解除されることを防止可能な結合金具を提供する。【解決手段】係合突起２２及び係合突起と連続する摺動部２３を有する差し金具２と、爪３１を有する受け金具３と、差し金具が遊貫されると共に押し輪部４０を有する摺動筒４と、摺動筒の摺動を規制する摺動規制手段５と、を備える結合金具１において、摺動規制手段を、掛止凸部５０と、掛止凸部と掛合可能に設けられた掛合凸部５１、を有するものとし、掛合凸部５１を、摺動筒及び差し金具の一方に設け、掛止凸部５０を、摺動筒及び差し金具の他方に設けると共に掛合凸部が通過可能に設けられた非掛止部５０ａを有するものとし、摺動筒を非掛止部と掛合凸部とが対向する位置まで回動させることで、掛止凸部５０と掛合凸部５１との掛合を解除可能にする。【選択図】図１
0003219801.tif 000002
【実用新案登録請求の範囲】
【請求項１】
係合突起及び該係合突起と連続する摺動部を有する差し金具と、
爪を有する受け金具と、
該差し金具が遊貫されると共に押し輪部を有する摺動筒と、
該摺動筒の摺動を規制する摺動規制手段と、を備え、
該爪は、該差し金具が該受け金具に差込まれた際に、該係合突起と係合可能に設けられ、
該摺動規制手段は、掛止凸部と、該掛止凸部と掛合可能に設けられた掛合凸部と、該掛合凸部が通過可能に設けられた非掛止部と、を有し、
該掛合凸部は、該摺動筒及び該差し金具の一方に設けられ、
該掛止凸部及び非掛止部は、該摺動筒及び該差し金具の他方に設けられ、
該摺動筒を該非掛止部と該掛合凸部とが対向する位置まで回動させることで、該掛止凸部と該掛合凸部との掛合を解除可能になっていることを特徴とする結合金具。
【請求項２】
前記非掛止部は、前記掛止凸部に形成された切欠であることを特徴とする請求項１に記載の結合金具。
【請求項３】
前記掛止凸部は、前記摺動筒及び前記差し金具の他方の略全周に亘って設けられていることを特徴とする請求項１又は２に記載の結合金具。
【請求項４】
前記非掛止部は、前記掛止凸部の１箇所に設けられていることを特徴とする請求項１乃至３の何れかに記載の結合金具。
【請求項５】
請求項１乃至４の何れかに記載の結合金具に用いられることを特徴とする差し金具。
【請求項６】
請求項１乃至４の何れかに記載の結合金具に用いられることを特徴とする摺動筒。
【考案の詳細な説明】
【技術分野】
【０００１】
本考案は、結合金具並びにそれに用いられる差し金具及び摺動筒に関し、より詳細には、差込式の結合金具並びにそれに用いられる差し金具及び摺動筒に関する。
【背景技術】
【０００２】
従来、消防ホース等の結合するために用いられる差込式の結合金具がある（例えば、特許文献１及び２を参照）。この様な結合金具は、差し金具と受け金具の２つのパーツよりなっており、受け金具に爪発条により内径方向に付勢された複数の爪が設けられていると共に差し金具に爪と係合可能に設けられた凹条が形成されており、差し金具が受け金具に差込まれた際に、爪と凹条とが係合することにより結合されるものである。
【０００３】
又、この様な結合金具には、結合を解除するための押し輪が設けられている。押し輪は、軸方向に摺動可能となっていると共に指掛可能に設けられた鍔部（フランジ）を有しており、鍔部に指を掛け、押し輪を摺動させて、爪を介して爪発条を外径方向へと押し上げることにより、爪と凹条とが係合が解除され、結合金具の結合が解除される様になっている。
【０００４】
差込式の結合金具は、例えば、消防用のホースの連結に用いられている。押し輪は、特にその摺動が規制される様にできているものではなかったため、ホースが不慮に動揺し、押し輪が何かに引っ掛ってしまい軸方向へと摺動してしまうと爪と凹条とが係合が解除され、差し金具と受け金具とが不意に離脱してしまう可能性があるという問題があった。
【０００５】
そこで、この不意の離脱を防止した差込式の結合金具が開発されている（特許文献３を参照）。特許文献３に記載された結合金具においては、ロック部材を別個に設け、押し輪の摺動をロック部材でロックすることにより、不意に差し金具と受け金具との結合が解除されることを防止している。
【先行技術文献】
【特許文献】
【０００６】
【特許文献１】特開２０１３−７９６５９号公報
【特許文献２】特開２０１３−９２１７２号公報
【特許文献３】特開２００４−１１８６０号公報
【考案の概要】
【考案が解決しようとする課題】
【０００７】
特許文献３に記載の結合金具においては、差し金具と受け金具とを結合した後に、更にロック部材を結合金具に掛けるという作業が必要であり、作業が煩雑となるという問題があった。特に、迅速性が求められる火災現場においては、全ての結合金具にロック部材を掛けることは、現実的ではなく、ロック部材が掛けられていても一部の結合金具に留まっているという実情がある。
【０００８】
そこで、本考案は、この様な火災現場における実情を考慮し、より簡便に不意に結合が解除されることを防止可能な結合金具を提供することを目的とする。
【課題を解決するための手段】
【０００９】
本考案は、係合突起及び該係合突起と連続する摺動部を有する差し金具と、爪を有する受け金具と、該差し金具が遊貫されると共に押し輪部を有する摺動筒と、該摺動筒の摺動を規制する摺動規制手段と、を備え、該爪は、該差し金具が該受け金具に差込まれた際に、該係合突起と係合可能に設けられ、該摺動規制手段は、掛止凸部と、該掛止凸部と掛合可能に設けられた掛合凸部と、該掛合凸部が通過可能に設けられた非掛止部と、を有し、該掛合凸部は、該摺動筒及び該差し金具の一方に設けられ、該掛止凸部及び非掛止部は、該摺動筒及び該差し金具の他方に設けられ、該摺動筒を該非掛止部と該掛合凸部とが対向する位置まで回動させることで、該掛止凸部と該掛合凸部との掛合を解除可能になっていることを特徴とする結合金具である。又、本考案は、前記結合金具に用いられることを特徴とする差し金具である。又、本考案は、前記結合金具に用いられることを特徴する摺動筒である。
【００１０】
尚、本考案は、前記非掛止部を、前記掛止凸部に形成された切欠とすることが可能である。又、本考案は、前記掛止凸部を、前記摺動筒及び前記差し金具の他方の略全周に亘って設けることが可能である。又、本考案は、前記非掛止部を、前記掛止凸部の１箇所に設けることが可能である。
【考案の効果】
【００１１】
本考案は、押し輪部を有する摺動筒の摺動を規制する摺動規制手段を設け、該規制手段の掛止凸部と掛合凸部とに掛合を、摺動筒を回動させることで解除できるものとしたので、より簡便に不意に差し金具と受け金具との結合が解除されることを防止することが可能である。
【図面の簡単な説明】
【００１２】
【図１】本考案の実施形態の図２のＩ−Ｉ線における片側断面図に相当する図であり、（ａ）は、差し金具と受け金具とが係合させた状態を示す図であり、（ｂ）は、差し金具と受け金具との係合が解除された状態を示す図である。
【図２】本考案の実施形態を示す差し金具及び摺動筒の平面図であり、（ａ）は、摺動筒の摺動が規制された状態を示す図であり、（ｂ）は、摺動筒の摺動の規制が解除された状態を示す図である。
【図３】本考案の実施形態を示す差し金具及び摺動筒の図２のIII−III断面図である。
【考案を実施するための形態】
【００１３】
本考案の実施形態を図１乃至図３に基づき説明する。結合金具１は、例えば、消防ホース（図示せず）の結合に用いられ、差し金具２、受け金具３、摺動筒４及び摺動規制手段５を備えている。差し金具２は、結合したい消防ホースの一方に接続され、受け金具３は、該消防ホースの他方に接続される。
【００１４】
差し金具２は、その内方に消火水等の流路Ｆが形成された略筒状、例えば、略円筒状をなしており、その先端１ａ側に受け金具３の孔部３０に差込可能に設けられた差込部２０が設けられていると共にその基端１ｂ側にホースの継手部（図示せず）が差込可能に設けられたホース継手部２１が設けられている。
【００１５】
差込部２０は、その外面の先端１ａ側に、係合突起２２が設けられていると共に係合突起２２と連続する摺動部２３を有している。摺動部２３の基端１ｂ側には、後述する摺動規制手段５の掛止凸部５０が設けられている。又、ホース継手部２１の外周面は、摺動筒４の回動や摺動を行う際に、把持可能に設けられており、少なくとも、消火活動等の際に、防火手袋を着装した状態で保持し、確実に操作の行える幅に形成される。尚、ホース継手部２１は、消防用ホースの継手部が挿着されるタイプであるが、例えば、螺着等の他のタイプを適宜採用することが可能である。
【００１６】
受け金具３は、その内方に流路Ｆの一部を構成する孔部３０が設けられた略筒状、例えば、略円筒状をなしており、孔部３０の基端１ｂ側に周方向に離間して配設された爪３１が設けられている。又、受け金具３は、その先端１ａ側にホース継手３２が設けられている。ホース継手３２は、ホース継手２１と同様に必要に応じて様々なものが選択可能である。
【００１７】
爪３１は、爪発条３３によって内径方向に付勢がさせており、差し金具２が受け金具３に差込まれた際に、係合突起２２によって一旦外径方向に引っ込む様になっており、係合突起２２及び後述する押し輪部４０によって形成された凹条６と爪３１が対向する位置まで差し金具２が受け金具３に差込まれると、再度、爪発条３３によって内径方向へと飛出し、係合突起２２と係合する様になっている。
【００１８】
本実施形態において、爪３１及び爪発条３３は、孔部３０の内面に形成された凹部３４内に収められる様に受け金具３に取付けられている。このため、爪３１は、基端１ｂ側の面がテーパー面３１ａとなっていることが望ましい。又、凹部３４は、120°間隔で周方向に離間して三箇所に設けられており、それに伴って、爪３１も三箇所に設けられているが、爪３１の数、形状等は必要に応じて適宜選択可能である。
【００１９】
摺動筒４は、その内方に差し金具２が遊貫、即ち、遊びを持って貫通可能に設けられた略筒状、例えば、略円筒状をなしており、それによって、差し金具２の外周面に沿って摺動可能となっている。又、摺動筒４は、その先端１ａ側に押し輪部４０を有していると共に、基端１ｂ側に基部４１を有している。基部４１には、後述する摺動規制手段５の一部である掛合凸部５１が設けられている。
【００２０】
押し輪部４０は、受け金具３の爪３１と差し金具２の係合突起２２との係合を解除し、差し金具２を受け金具３から離脱させるために設けられている。押し輪部４０は、摺動筒４を、差し金具２の外周面に沿って摺動させることにより、摺動部２３に沿って摺動可能に設けられている。
【００２１】
それによって、押し輪部４０は、摺動筒４が基端１ｂ側に位置した際に、差し金具２の係合突起２２と共に凹条６を形成すると共に、摺動筒４を摺動させ、摺動筒４が先端１ａ側に位置した際に、凹条６に収められた受け金具３の爪３１を外径方向へ押し上げ、受け金具３の爪３１と差し金具２の係合突起２２との係合を解除する様になっている。
【００２２】
摺動規制手段５は、掛止凸部５０と、掛止凸部５０と掛合可能に設けられた掛合凸部５１と、掛合凸部５１が通過可能に設けられた非掛止部５０ａと、を有しており、掛止凸部５０と掛合凸部５１とを掛合させることで、摺動筒４の軸方向Ａ１への摺動を規制するために設けられており、摺動が規制された状態の摺動筒４を回動させることによって、該掛合が解除され、摺動筒４の摺動の規制が解除可能になっている。
【００２３】
掛合凸部５１は、本実施形態において、摺動筒４の基部４１から基端１ｂ方向に立設されたピンとして設けられており、その基端１ｂ側が掛合部５１ａをなしている。尚、掛合凸部５１の形状や数等は、適宜選択は可能であり、掛合突起５１を複数箇所に設けても良い。
【００２４】
掛止凸部５０は、本実施形態において、差し金具２の摺動部２３の基端１ｂ側の略全周に亘って設けられており、掛合凸部５１の掛合部５１ａと掛合可能に設けられていると共に摺動筒４の回動の妨げとはならない高さで摺動部２３に立設されている。尚、掛止凸部５０の形状や数等は、適宜選択可能であり、複数の掛止凸部５０を設けることも可能である。
【００２５】
非掛止部５０ａは、本実施形態においては、掛止凸部５０に設けられており、具体的に述べれば、掛止凸部５０に形成された略円弧状の切欠として設けられている。又、非掛止部５０ａは、少なくとも、掛合凸部５１の掛合部５１ａが通過可能な大きさに形成されている。尚、非掛止部５０ａの形状や数等は、適宜選択可能であり、複数箇所に設けることが可能である。
【００２６】
掛合凸部５１及び非掛止部５０ａは、本実施形態の様に、各々、１箇所のみに設けることが、特に好ましい。この様にすることで、掛止凸部５０と掛合凸部５１との掛合の解除に必要な摺動筒４の回動角度をより広く確保することが可能となり、受け金具３と差し金具２との結合が不意に解除されることがより防止することが可能となる。
【００２７】
即ち、押し輪部４０は、掛合凸部５１の掛合部５１ａを非掛止部５０ａに通過させ、掛合部５１ａが掛止凸部５０よりも基端１ｂ側に位置している状態で任意の方向に回動させることで、掛合凸部５１と掛止凸部５０が掛合して摺動部２３に沿って摺動できない様になっている一方、掛合部５１ａが非掛止部５０ａと対向する位置まで更に押し輪部４０を回動させることで掛合凸部５１と掛止凸部５０との掛合が解除され、摺動部２３に沿って摺動可能となる様になっていることとなる。
【００２８】
消防用ホースを結合するために、差し金具２を受け金具３に差込む際には、予め、摺動筒４を基端１ｂ側に位置させておき、掛合凸部５１と掛止凸部５０とが掛合する位置まで摺動筒４を回動させておき、摺動筒４の摺動を規制した状態で差し金具２の差込部２０を受け金具３の孔部３０へと挿入する。そうすると、受け金具３の爪３１は、凹条６に収まる形で、差し金具２の係合突起２２と係合し、消防用ホースの結合は、完了する。
【００２９】
消防用ホースの結合を解除する際には、摺動筒４を、例えば、図３中に一点鎖線で示している様に、Ａ２方向へと、掛合凸部５１（本実施形態においてはその掛合部５１ａ）と非掛止部５０ａとが対向する位置まで摺動筒４を回動させ、摺動筒４の摺動の規制を解除する。
【００３０】
その後、図２（ｂ）中に一点鎖線で示した様に、摺動筒４を軸方向Ａ１へと差し金具２に沿って摺動させると共に押し輪部４０を摺動部２３に沿って摺動させる。そうすると、摺動筒４の押し輪部４０は、テーパー面３１ａに沿って、爪３１の内方に徐々に入り込んでいき、爪３１を外径方向へと押し上げる。そして、押し輪部４０が、係合突起２２と当接又は近接する位置まで、押し輪部４０を摺動させると、爪３１と係合突起２２との係合が解除され、差し金具２を受け金具３から抜くことが可能となる。
【００３１】
従って、結合金具１において、押し輪部４０は、掛合凸部５１と掛止凸部５０とが掛合している限り、先端１ａ側への摺動が規制されていることとなる。この規制の解除は、摺動筒４を回動させる必要があり、回動という動作は、人為的に行われない限り起こり難い動作であり、そのため、結合金具１は、ホースが不慮に動揺した際であっても不意に結合が解除されることが防止されていることとなる。
【００３２】
そのため、予め、押し輪部４０の摺動を規制しておくことが可能であり、火災現場等での押し輪部４０の摺動をロックするために追加的な作業が不要となっており、火災現場等の迅速性の求められる現場においても、不意に結合が解除されることが防止することが可能である。
【００３３】
本発明を、上記実施形態に基づき説明したが、本発明は、上記実施形態に限定されるものではなく、発明の要旨を変更しない範囲で適宜変更可能である。
【００３４】
例えば、（１）上記実施形態においては、摺動規制手段５の掛止凸部５０及び非掛止部５０ａを差し金具２側に、掛合凸部５１を摺動筒４側に設けたが、それとは逆に、掛止凸部５０及び非掛止部５０ａを摺動筒４側に、掛止凸部５１を差し金具２側に設けることも可能である。
【００３５】
（２）防火手袋でより作業がし易いように、把持部２４や摺動筒４の外面に、ゴム等の滑り止め材を設けたり、ローレット加工等の滑り止め加工を施したりすることも可能である。
【００３６】
（３）上記実施形態においては、掛止凸部５０の非係合部５０ａを切欠として設けたが、掛止凸部５０に孔部として設けることが可能である。その場合においては、摺動筒４が回動できる様に非掛合部と連続すると共に掛止凸部５０に周方向に延在する無底の溝部も併せて設けることが可能である。
【００３７】
（４）上記実施形態において、掛止凸部５０を、摺動部２３に一重に設けたが、多重に設けることも可能である。この場合において、特に、非掛止部５０ａの位置をずらすことで、受け金具３と差し金具２との結合が不意に解除されることがより防止することが可能となる。
【００３８】
（５）上記実施形態において、掛止凸部５０を略全周に亘って設けたが、周方向に間欠的に設けることも可能である。この場合において、各掛止凸部５０間の間隙を非掛止部５０ａとして活用し、非掛止部５０ａを掛止凸部５０に設けない様にしても良い。
【００３９】
（６）非掛止部５０ａの位置を表示する表示部（図示せず）を別途設けても良い。例えば、該表示部は、差し金具２のホース継手部２１の外面に形成された窪みとして設けることが可能である。
【符号の説明】
【００４０】
１      結合金具            １ａ    先端                １ｂ    基端
２      差し金具            ２０    差込部              ２１    ホース継手部
２２    係合突起            ２３    摺動部              ３      受け金具
３０    孔部                ３１    爪                  ３１ａ  テーパー面
３２    ホース継手          ３３    爪発条              ３４    凹部
４      摺動筒              ４０    押し輪部            ４１    基部
５      摺動規制手段        ５０    掛止凸部            ５０ａ  非掛止部
５１    掛合凸部            ５１ａ  掛合部              ６      凹条
Ａ１    軸方向              Ａ２    回動方向            Ｆ      流路
【図１】
0003219801.tif 000003
【図２】
0003219801.tif 000004
【図３】
0003219801.tif 000005